(57)【特許請求の範囲】
【請求項１】
枠体に対して戸体が室内側または室外側に開閉可能に支持される建具に取り付けられる制動装置であって、
第一回転体と、前記第一回転体が回転伝達可能に係合する第二回転体と、前記第一回転体を前記第二回転体に対して離間方向に付勢する付勢部材と、前記第一回転体および前記第二回転体に挿通されたスパイラルロッドと、前記第二回転体の回転に対する抵抗力を発生する抵抗体と、前記スパイラルロッドに連結された伝達機構と、前記伝達機構に取り付けられた受け体とを備え、
前記伝達機構は、前記受け体に加わる前記戸体の閉鎖移動力を前記スパイラルロッドに軸方向の移動力として伝達する構成とされ、
前記第一回転体は、前記スパイラルロッドの当該第一回転体に対する軸方向の移動によって回転可能に当該スパイラルロッドにねじ係合され、
前記第一回転体は、前記スパイラルロッドの軸方向の移動速度に応じて、前記付勢部材の付勢力によって前記第二回転体から離間した非係合状態と、前記付勢部材の付勢力に抗して前記第二回転体に回転伝達可能に係合した係合状態とを切替える
ことを特徴とする制動装置。
【請求項２】
請求項１に記載の制動装置において、
前記第二回転体は、前記第一回転体と前記スパイラルロッドの前記伝達機構への連結部分との間に配置され、
前記スパイラルロッドは、その軸方向であって前記第一回転体を前記第二回転体に接近させる第一方向および前記第一回転体を前記第二回転体から離間する第二方向に移動可能に配置され、
前記第一回転体は、前記スパイラルロッドの第一方向の移動によって回転可能に当該スパイラルロッドにねじ係合され、
前記第一回転体は、前記第一方向の移動速度に応じて、前記付勢部材の付勢力によって前記第二回転体から離間した非係合状態と、前記付勢部材の付勢力に抗して前記第二回転体に回転伝達可能に係合した係合状態とを切替える
ことを特徴とする制動装置。
【請求項３】
請求項１または請求項２に記載の制動装置において、
前記第一回転体、前記第二回転体、前記付勢部材、前記スパイラルロッドおよび前記抵抗体が設けられたケースを備え、
前記伝達機構は、基端で前記ケースに回動可能に連結された第一リンクアームと、基端で前記スパイラルロッドに回動可能に連結された第二リンクアームとを備え、
前記第一リンクアームおよび前記第二リンクアームは、それぞれの基端から離れた位置で互いに回動可能に連結され、
前記受け体は、磁石を有するとともに、前記第一リンクアームまたは前記第二リンクアームの先端側に連結された
ことを特徴とする制動装置。
【請求項４】
請求項１から請求項３のいずれか一項に記載の制動装置において、
前記第一回転体、前記第二回転体、前記付勢部材、前記スパイラルロッドおよび前記抵抗体が設けられたケースと、前記ケースに進退操作可能に取り付けられた調整部材とを備え、
前記調整部材は、前記ケースに対する進退操作によって前記第一回転体の前記第二回転体に対する回転軸方向における距離を調整可能に構成される
ことを特徴とする制動装置。
【請求項５】
請求項４に記載の制動装置において、
前記調整部材は、スパイラルロッドが配置可能な中空部を有する
ことを特徴とする制動装置。
【請求項６】
請求項３から請求項５のいずれか一項に記載の制動装置において、
前記第一リンクアームの基端を前記ケースの一方の端部に連結し、
前記第二リンクアームの基端を前記ケースの他方の端部側に位置する前記スパイラルロッドの端部に連結する
ことを特徴とする制動装置。
【請求項７】
枠体と、前記枠体に対して室内側または室外側に開閉可能に支持される戸体と、前記枠体に取り付けられる請求項１から請求項６のいずれか一項に記載の制動装置とを備える
ことを特徴とする建具。
【発明の詳細な説明】
【技術分野】
【０００１】
本発明は、枠体に対して室内側または室外側に開閉可能な戸体の閉鎖移動を制動する制動装置および建具に関する。
【背景技術】
【０００２】
従来、制動装置として、ドアを回動可能に支持するドア枠に設けられるドア緩衝装置が知られている（特許文献１参照）。このドア緩衝装置は、閉鎖移動するドアに当接して押圧される受部と、受部の動作をドア枠に沿った左右方向の動作に変換する動作変換機構と、動作変換機構によって変換された左右動作を制動するショックアブソーバーとを有している。
【先行技術文献】
【特許文献】
【０００３】
【特許文献１】特許第５３０８１３２号公報
【発明の概要】
【発明が解決しようとする課題】
【０００４】
ところで、特許文献１に記載のドア緩衝装置では、戸体の閉鎖移動によって戸体が押圧される場合にはショックアブソーバーが作動し続けるため、戸体の移動が低速でドア枠に強く衝突しない場合などの制動が必要とされない場合にも制動し続けることになり、戸体を移動操作しづらくなるおそれがある。
【０００５】
本発明の目的は、戸体の移動速度に応じて制動できる制動装置および建具を提供することにある。
【課題を解決するための手段】
【０００６】
本発明の制動装置は、枠体に対して戸体が室内側または室外側に開閉可能に支持される建具に取り付けられる制動装置であって、第一回転体と、前記第一回転体が回転伝達可能に係合する第二回転体と、前記第一回転体を前記第二回転体に対して離間方向に付勢する付勢部材と、前記第一回転体および前記第二回転体に挿通されたスパイラルロッドと、前記第二回転体の回転に対する抵抗力を発生する抵抗体と、前記スパイラルロッドに連結された伝達機構と、前記伝達機構に取り付けられた受け体とを備え、前記伝達機構は、前記受け体に加わる前記戸体の閉鎖移動力を前記スパイラルロッドに軸方向の移動力として伝達する構成とされ、前記第一回転体は、前記スパイラルロッドの当該第一回転体に対する軸方向の移動によって回転可能に当該スパイラルロッドにねじ係合され、前記第一回転体は、前記スパイラルロッドの軸方向の移動速度に応じて、前記付勢部材の付勢力によって前記第二回転体から離間した非係合状態と、前記付勢部材の付勢力に抗して前記第二回転体に回転伝達可能に係合した係合状態とを切替えることを特徴とする。
【０００７】
本発明の制動装置によれば、当該制動装置を建具の枠体に取り付けることで戸体の閉鎖移動を制動できる。具体的には、閉鎖移動する戸体に受け体が当接し、伝達機構が動作して受け体に加わる前記閉鎖移動力をスパイラルロッドに軸方向の移動力として伝達し、このスパイラルロッドの軸方向の移動によって第一回転体および第二回転体が係合し、第二回転体の抵抗体に対する回転によってスパイラルロッドに対する抵抗力が発生し、この抵抗力によって戸体の閉鎖移動を制動できる。
本発明の制動装置によれば、戸体が静止した状態では、第一回転体は付勢部材によって離間方向に離間した非係合状態とされる。戸体の閉鎖移動によってスパイラルロッドが軸方向に移動する場合、第一回転体は、スパイラルロッドの移動によって回転しつつ付勢部材の付勢力に抗して第二回転体に接近する。このように接近しても、第一回転体が第二回転体と非係合状態にある間は、当該第一回転体から第二回転体に回転伝達されないので、第二回転体の回転に対する抵抗体の抵抗力は発生しない。これにより、戸体に抵抗体の抵抗力が加わることなくスムーズに戸体を移動できる。
また、スパイラルロッドの軸方向の移動速度に応じて、第一回転体が第二回転体に接近して係合状態となった場合、第一回転体の回転は第二回転体に伝達される。これにより、第二回転体は回転して抵抗体に抵抗力を発生させ、戸体に抵抗体の抵抗力が加わり、戸体の閉鎖移動を制動できる。
【０００８】
本発明の制動装置では、前記第二回転体は、前記第一回転体と前記スパイラルロッドの前記伝達機構への連結部分との間に配置され、前記スパイラルロッドは、その軸方向であって前記第一回転体を前記第二回転体に接近させる第一方向および前記第一回転体を前記第二回転体から離間する第二方向に移動可能に配置され、前記第一回転体は、前記スパイラルロッドの第一方向の移動によって回転可能に当該スパイラルロッドにねじ係合され、
前記第一回転体は、前記第一方向の移動速度に応じて、前記付勢部材の付勢力によって前記第二回転体から離間した非係合状態と、前記付勢部材の付勢力に抗して前記第二回転体に回転伝達可能に係合した係合状態とを切替えることが好ましい。
このような構成によれば、第二回転体が第一回転体とスパイラルロッドの伝達機構への連結部分との間に配置されるので、戸体の閉鎖移動に基づいて伝達機構からスパイラルロッドへ第一方向の移動力が加えられる。このスパイラルロッドの第一方向の移動によって第一回転体が第二回転体に接近して係合状態にできる。この係合状態では第一回転体から第二回転体に回転伝達され、抵抗体に対する第二回転体の回転によって抵抗力が発生するが、第一方向に移動するスパイラルロッドが圧縮されて座屈などを生じるおそれがない。
なお、スパイラルロッドが第二方向に移動する場合には、第一回転体が第二回転体から離間して非係合状態にできるので、スパイラルロッドが第二方向に移動する際に過度な負荷がかかることがなく、スパイラルロッドに座屈などが生じるおそれを抑制できる。
【０００９】
本発明の制動装置では、前記第一回転体、前記第二回転体、前記付勢部材、前記スパイラルロッドおよび前記抵抗体が設けられたケースを備え、前記伝達機構は、基端で前記ケースに回動可能に連結された第一リンクアームと、基端で前記スパイラルロッドに回動可能に連結された第二リンクアームとを備え、前記第一リンクアームおよび前記第二リンクアームは、それぞれの基端から離れた位置で互いに回動可能に連結され、前記受け体は、磁石を有するとともに、前記第一リンクアームまたは前記第二リンクアームの先端側に連結されたことが好ましい。
このような構成によれば、戸体に鉄板等の磁性体を設けることで受け体と戸体とを磁力によって引き合わせることができる。これにより、戸体を閉鎖状態から開放移動する際に受け体が戸体とともに開放移動して、制動装置を戸体の閉鎖移動によって制動可能な状態に復帰できる。なお、戸体のさらなる開放移動によって、受け体と戸体の磁性体とは引き離される。
【００１０】
本発明の制動装置では、前記第一回転体、前記第二回転体、前記付勢部材、前記スパイラルロッドおよび前記抵抗体が設けられたケースと、前記ケースに進退操作可能に取り付けられた調整部材とを備え、前記調整部材は、前記ケースに対する進退操作によって前記第一回転体の前記第二回転体に対する回転軸方向における距離を調整可能に構成されることが好ましい。
このような構成によれば、調整部材の進退操作によってスパイラルロッドの軸方向の移動に対する第一回転体および第二回転体の係合タイミングを調整できる。具体的には、調整部材によって第一回転体の第二回転体に対する距離を短く調整した場合には、スパイラルロッドの軸方向の移動に対する第一回転体および第二回転体の係合タイミングを早めることができる。逆に、調整部材によって第一回転体の第二回転体に対する距離を長く調整した場合には、スパイラルロッドの軸方向の移動に対する第一回転体および第二回転体の係合タイミングを遅らせることができる。
【００１１】
本発明の制動装置では、前記調整部材は、スパイラルロッドが配置可能な中空部を有することが好ましい。
このような構成によれば、スパイラルロッドが軸方向に移動して第一回転体から調整部材側に突き出た場合には、この突き出た部分は調整部材の中空部に配置されることとなる。これにより、調整部材をスパイラルロッドの軸方向に沿って配置でき、例えば調整部材が前記軸方向から外れた位置に配置される制動装置と比べ、制動装置のコンパクト化を図れる。
【００１２】
本発明の制動装置では、前記第一リンクアームの基端を前記ケースの一方の端部に連結し、前記第二リンクアームの基端を前記ケースの他方の端部側に位置する前記スパイラルロッドの端部に連結することが好ましい。
このような構成によれば、制動装置を大型化することなく第一リンクアームおよび第二リンクアームの長さ寸法を大きくでき、リンク機構の動作によるスパイラルロッドの軸方向の移動ストロークを大きくとれる。
【００１３】
本発明の建具は、枠体と、前記枠体に対して室内側または室外側に開閉可能に支持される戸体と、前記枠体に取り付けられる前述した本発明の制動装置とを備えることを特徴とする建具。
本発明の建具によれば、前述した本発明の制動装置による効果を発揮できる建具を構成できる。
【発明の効果】
【００１４】
本発明によれば、戸体の移動速度に応じて制動できる制動装置および建具を提供できる。
【図面の簡単な説明】
【００１５】
【図１】本発明の実施形態に係る建具を示す内観姿図。
【図２】前記実施形態に係る建具を示す縦断面図。
【図３】前記実施形態に係る建具の閉鎖状態を示す横断面図。
【図４】前記実施形態に係る建具の開放状態を示す横断面図。
【図５】前記実施形態に係る建具の制動装置を示す斜視図。
【図６】前記実施形態に係る建具の制動装置の内部構成を示す説明図。
【図７】前記実施形態に係る建具の制動装置の動作を示す説明図。
【図８】前記実施形態に係る建具の制動装置の第一回転体および第二回転体の係合状態を示す説明図。
【図９】前記実施形態に係る建具の制動装置の調整部材の進退操作を示す説明図。
【発明を実施するための形態】
【００１６】
［本実施形態の構成］
以下、本発明の実施形態を図面に基づいて説明する。
図１〜３において、本実施形態に係る建具である縦すべり出し窓１は、建物躯体の開口部に取り付けられるものである。縦すべり出し窓１は、窓枠２（枠体）と、窓枠２に室外側にすべり出し可能に支持される障子３（戸体）と、窓枠２に取り付けられる制動装置１０とを備えている。
【００１７】
窓枠２は、上枠２１、下枠２２および左右の縦枠２３を枠組みして構成されている。
障子３は、上框３１、下框３２、左右の縦框３３および面材３４を框組みして構成されている。上框３１の戸先側寄りの位置には、後述する受け体１７が当接する磁性体である鉄板（図示省略）が取り付けられている。
本実施形態では、図１，３，４において縦すべり出し窓１の右側が吊元側とされ、左側が戸先側とされている。吊元側の縦框３３は、連結機構３５を介して室外側にすべり出し可能に、吊元側の縦枠２３に連結されている。
障子３は、図３に示す閉鎖位置および図４に実線で示す開放位置間を開閉可能に窓枠２に支持されている。
【００１８】
制動装置１０は、障子３の閉鎖移動を制動するダンパであり、図１〜４に示すように、上枠２１の戸先側寄りの位置に取り付けられている。制動装置１０は、図５，６に示すように、第一回転体１１と、第一回転体１１が回転伝達可能に係合する第二回転体１２と、第一回転体１１を第二回転体１２に対して離間方向に付勢する付勢部材としてのコイルバネ１３と、第一回転体１１および第二回転体１２に挿通されるスパイラルロッド１４と、第二回転体１２の回転に対する抵抗力を発生する抵抗体１５と、スパイラルロッド１４に連結されるリンク機構１６（伝達機構）と、リンク機構１６に取り付けられる受け体１７と、第一回転体１１、第二回転体１２、コイルバネ１３およびスパイラルロッド１４を収容し、かつ抵抗体１５が設けられるケース１８と、ケース１８に進退操作可能に取り付けられる調整部材１９とを備えている。
【００１９】
ケース１８は、断面略コ字形状に形成されており、ケース１８に形成される溝部には、第一回転体１１、第二回転体１２、コイルバネ１３およびスパイラルロッド１４が配置されている。ケース１８のうち第二回転体１２の周囲に位置する部分によって当該第二回転体１２の外周面に摺動可能に当接して摩擦抵抗力を発生する抵抗体１５が形成されている。
【００２０】
図６に示すケース１８の右側端部には後述する第一リンクアーム１６２の基端が軸ピン１６１を介して回動可能に連結されている。また、図６に示すケース１８のうち第二回転体１２よりも左側に位置する部分には、軸方向Ｘに沿ったガイド溝１８１（図７参照）が形成されている。ガイド溝１８１には、後述する第二リンクアーム１６３の基端にある軸ピン１６１が軸方向Ｘにガイド可能に配置されている。なお、図６において第二回転体１２よりも左側部分には、当該第二回転体１２を左側から押える押え部材５が設けられている。また、第二リンクアーム１６３の基端は軸ピン１６１を介してスパイラルロッド１４の図６において左側に示す端部に回動可能に連結されている。
【００２１】
抵抗体１５には、スパイラルロッド１４の軸方向Ｘに直交する方向で互いに対向する対向片部１５１を有しており、これらの対向片部１５１には調整ねじ１５２が螺合している。この調整ねじ１５２を回転させることによって抵抗体１５の内周面と第二回転体１２の外周面との接触圧を調整可能となっている。この接触圧が高く調整された場合には抵抗体１５から発生する摩擦抵抗力も大きくなり、逆に接触圧が低く調整された場合には抵抗体１５から発生する摩擦抵抗力は小さくなる。
【００２２】
第一回転体１１および第二回転体１２は、スパイラルロッド１４の軸方向Ｘにおいて互いに突き合されて配置されており、コイルバネ１３は第一回転体１１および第二回転体１２の突合せ部分に配置されている。第二回転体１２は、軸方向Ｘにおいて第一回転体１１および第二リンクアーム１６３の基端のスパイラルロッド１４に対する連結部分間に配置されている。
【００２３】
スパイラルロッド１４は、第一回転体１１、第二回転体１２およびコイルバネ１３に挿通されている。スパイラルロッド１４のねじピッチは等ピッチである。スパイラルロッド１４は、その軸方向Ｘであって第一回転体１１を第二回転体１２に接近させる第一方向Ａおよび第一回転体１１を前記第二回転体１２から離間する第二方向Ｂに移動可能に配置されている。
【００２４】
第一回転体１１は、円筒状に形成されており、スパイラルロッド１４にねじ係合しているとともに、第一回転体１１の端部（第二回転体１２に対する突合せ部）に形成された係合歯１１１と、内周面に形成されたバネ受け部（図示省略）とを有している。バネ受け部はコイルバネ１３の第一回転体１１の端部を受け止めている。
係合歯１１１は、第二回転体１２に向かって突出して形成されており、第一回転体１１の円周方向（回転方向）に間欠的に複数並んでいる。本実施形態では、係合歯１１１の歯数は３個に設定されており、係合歯１１１同士は同形状であり等間隔を隔てて配置されている。
【００２５】
なお、係合歯１１１の歯数は３〜１２個で設定されていてもよい。ここで、係合歯１１１を多く設定した場合には、係合歯１１１同士の間隔が小さくなり、当該係合歯１１１が後述する係合歯１２１と噛み合うのに必要とされる第一回転体１１の回転量を少なくできる。また、係合歯１１１の歯数を少なく設定した場合には、係合歯１１１の円周方向幅を大きく形成でき、係合歯１１１の強度を向上できる。
係合歯１１１の歯数や形状は、噛み合いに必要とされる第一回転体１１の回転量と係合歯１１１の強度とを考慮し、第一回転体１１の径に応じて設定可能である。
係合歯１１１の形状は、矩形形状のほか、回転方向に対して傾斜した三角形状でもよく、この三角形状とすることで、矩形形状に比べて係合しやすい構成にできる。
【００２６】
第一回転体１１は、スパイラルロッド１４が当該第一回転体１１に対して軸方向Ｘに移動すると、スパイラルロッド１４の軸心を中心として回転する。そして、スパイラルロッド１４の軸方向Ｘへの移動速度が上昇すると、上昇に応じてスパイラルロッド１４と第一回転体１１との摩擦力が増大し、第一回転体１１はコイルバネ１３の弾性付勢力に抗して第二回転体１２に向かって接近移動する。
【００２７】
第二回転体１２は、円筒状に形成されており、スパイラルロッド１４がねじ係合せずに軸方向Ｘに移動自在に挿通されているとともに、第二回転体１２の端部（第一回転体１１に対する突合せ部）に形成された係合歯１２１と、内周面に形成されたバネ受け部（図示省略）とを有している。バネ受け部はコイルバネ１３の第二回転体１２側の端部を受け止めている。
この第二回転体１２には、スパイラルロッド１４がねじ係合せずに軸方向Ｘに移動自在に挿通されている。第二回転体１２は、スパイラルロッド１４の軸心を中心として回転可能に配置されている。また、第二回転体１２は、押え部材５によって軸方向Ｘに押えられている。
【００２８】
第二回転体１２の係合歯１２１は、第一回転体１１に向かって突出して直角三角形状に形成されており、第二回転体１２の端面に円周方向（回転方向）に沿って間欠的に複数並んでいる。本実施形態では、係合歯１２１の歯数は３個に設定されており、係合歯１２１同士は同形状であり等間隔を隔てて配置されている。
【００２９】
なお、係合歯１２１の歯数は３〜１２個で設定されてもよい。ここで、係合歯１２１を多く設定した場合には、係合歯１２１同士の間隔が小さくなり、当該係合歯１２１が係合歯１１１と噛み合うのに必要とされる第一回転体１１の回転量を少なくできる。また、係合歯１２１の歯数を少なく設定した場合には、係合歯１２１の円周方向幅を大きく形成でき、係合歯１２１の強度を向上できる。
係合歯１２１の歯数や形状は、噛み合いに必要とされる第二回転体１２の回転量と係合歯１２１の強度とを考慮し、第二回転体１２の径に応じて設定可能である。
係合歯１２１の形状は、矩形形状のほか、回転方向に対して傾斜した三角形状でもよく、この三角形状とすることで、矩形形状に比べて係合しやすい構成にできる。
【００３０】
コイルバネ１３は、第一回転体１１のバネ受け部と第二回転体１２のバネ受け部との間に配置されている。このコイルバネ１３は、第一回転体１１を第二回転体１２から軸方向Ｘに離間する離間方向に弾性付勢しており、第一回転体１１と第二回転体１２との離間状態を維持している。
【００３１】
前述した第一回転体１１、第二回転体１２およびコイルバネ１３によってクラッチ機構が構成されている。このクラッチ機構では、コイルバネ１３によって第一回転体１１と第二回転体１２との離間状態が維持されている場合には、第一回転体１１から第二回転体１２に回転伝達されない非係合状態にあり、第一回転体１１がコイルバネ１３の弾性付勢力に抗して第二回転体１２に接近し、係合歯１１１が係合歯１２１に係合した場合では、第一回転体１１から第二回転体１２に回転伝達される係合状態となる。この係合状態において第二回転体１２が抵抗体１５に対して回転されることで摩擦抵抗力を発生する。
【００３２】
リンク機構１６は、基端でケース１８の調整部材１９側の端部（図６に示す右側端部）に軸ピン１６１を介して回転可能に連結される第一リンクアーム１６２と、基端でスパイラルロッド１４の端部（図６に示す左側端部）に軸ピン１６１を介して回動可能に連結される第二リンクアーム１６３とを備えている。第一リンクアーム１６２は、第二リンクアーム１６３よりも長く形成されており、その先端に受け体１７が軸ピン１６１を介して回転可能に取り付けられている。第二リンクアーム１６３の先端は、第一リンクアーム１６２の先端および基端間であって先端側よりも基端側から離れた位置に軸ピン１６１を介して回動可能に連結されている。
このリンク機構１６は、受け体１７に加わる障子３の閉鎖移動力をスパイラルロッド１４に第一方向Ａの移動力として伝達する構成となっている。
【００３３】
受け体１７は、障子３に取り付けられた磁性体である鉄板（図示省略）に当接する当り板１７１と、当り板１７１の裏面に固着される磁石１７２と、第一リンクアーム１６２の先端に軸ピン１６１を介して回転可能に連結されているとともに磁石１７２が固着される連結部材１７３とを備えている。
【００３４】
調整部材１９は、中空部１９１を有して略円筒形状に形成されているとともに、ケース１８の図６に示す右側端部に螺合する雄ネジ部１９２（ネジ部）を有している。なお、ケース１８の右側端部の内周面には雌ネジ部１８２が形成されている。
調整部材１９は、第一回転体１１をコイルバネ１３による第二方向Ｂへの付勢に抗して押えている。
【００３５】
この調整部材１９は、回転操作（前進操作）することで第一方向Ａ側に位置決めできる一方、逆回転操作（後退操作）することで第二方向Ｂ側に位置決めできる。
調整部材１９を第一方向Ａ側に前進して位置決めする場合には、第一回転体１１は第二回転体１２に向かって押されるので、第一回転体１１および第二回転体１２間の距離は短くなる。このため、スパイラルロッド１４の第一方向Ａの移動に応じて第一回転体１１が第二回転体１２に接近して係合する係合タイミングを早めることができる。図６では、調整部材１９によって第一回転体１１および第二回転体１２間の距離が最も短い距離Ｌ１とされた状態を示している。
また、調整部材１９を第二方向Ｂ側に後退して位置決めする場合には、第一回転体１１はコイルバネ１３に付勢されて第二回転体１２から離れるので、第一回転体１１および第二回転体１２間の距離は長くなる。このため、スパイラルロッド１４の第一方向Ａの移動に応じて第一回転体１１が第二回転体１２に接近して係合する係合タイミングを遅らせることができる。図９では、調整部材１９によって第一回転体１１および第二回転体１２間の距離が距離Ｌ１よりも長くされた距離Ｌ２を示している。
【００３６】
[本実施形態の動作]
以下、本実施形態に係る縦すべり出し窓１の閉鎖動作および開放動作について説明する。
[閉鎖動作]
先ず、縦すべり出し窓１の閉鎖動作について説明する。
図４では、開放位置にある障子３を実線で示しており、かつ、制動装置１０の受け体１７がリンク機構１６によって室外側に引き出された状態（図７参照）を示している。
開放位置にある障子３が操作によって閉鎖移動すると、障子３の上框３１は受け体１７に当接して閉鎖移動力を加える。この閉鎖移動力によって受け体１７は室内側に押圧され、リンク機構１６を動作させる。第一リンクアーム１６２はその基端側の軸ピン１６１を中心として回動し、第二リンクアーム１６３はその先端側の軸ピン１６１を中心として回動しながら基端側部分がガイド溝１８１にガイドされて第一方向Ａに移動する。これにより、第二リンクアーム１６３の基端に連結されたスパイラルロッド１４が第一方向Ａに引っ張られて移動する。
【００３７】
スパイラルロッド１４が予め設定した所定速度を下回る移動速度で第一方向Ａに移動すると、スパイラルロッド１４にねじ係合している第一回転体１１が回転する。このとき、第一回転体５４には、第二回転体１２に向かう第一方向Ａの移動力も加えられるが、コイルバネ１３によって第一回転体１１が第二回転体１２から離間した非係合状態（図７参照）が維持され、第一回転体１１から第二回転体１２に回転伝達されず、第二回転体１２はケース１８に対して回転しない。従って、第二回転体１２および抵抗体１５間に摩擦抵抗力は発生せず、障子３はスムーズに閉鎖移動する。
【００３８】
次に、障子３の閉鎖移動の速度が所定速度以上にまで上昇すると、第一回転体１１が第二回転体１２に接近する軸方向Ｘの移動力が大きくなり、第一回転体１１はコイルバネ１３の弾性付勢力に抗して第二回転体１２に接近して回転伝達可能に係合した係合状態（図８参照）となり、第一回転体１１から第二回転体１２に回転伝達され、第二回転体１２がケース１８に対して回転する。従って、第二回転体１２および抵抗体１５間に摩擦抵抗力が発生してスパイラルロッド１４に加わり、障子３の閉鎖移動は制動され、障子３の閉鎖方向の移動は減速される。
【００３９】
閉鎖移動する障子３が図３に示すように閉鎖位置に配置されると、障子３は窓枠２に当接して閉鎖移動を停止し、これとともにスパイラルロッド１４の第一方向Ａの移動も停止する。このとき、第一回転体１１はコイルバネ１３の弾性付勢力によって第二回転体１２から離間するので、第二回転体１２との係合が解除される。また、第一リンクアーム１６２および第二リンクアーム１６３は、図５，６に示すようにケース１８の長手方向に概略沿って配置される。
このように縦すべり出し窓１は閉鎖動作を行い、制動装置１０は障子３の閉鎖移動において当該移動速度に応じて制動動作を行う。
【００４０】
なお、障子３が閉鎖移動中に移動速度が低下し、第一回転体１１が第二回転体１２に接近する移動力がコイルバネ１３の弾性付勢力を下回る場合には、第一回転体１１はコイルバネ１３によって第二回転体１２から離間して係合が解除されるので、障子３の閉鎖移動に対する制動力がなくなり、小さな力で閉鎖移動操作できる。
【００４１】
[開放動作]
以下、縦すべり出し窓１の開放動作について説明する。
閉鎖位置（全閉位置）にある障子３が操作によって開放移動されると、磁石１７２を有する受け体１７は当該障子３に設けられた磁性体に引っ張られて室外側に引き出され、これにより、リンク機構１６も動作して第二リンクアーム１６３の基端がガイド溝１８１にガイドされながら第二方向Ｂに移動する。この移動によってスパイラルロッド１４も第二方向Ｂに移動される。
ここで、第一回転体１１は、スパイラルロッド１４の第二方向Ｂの移動によって第二回転体１２から離間する第二方向Ｂ（離間方向）の移動力が加えられるだけなので、第二回転体１２および抵抗体１５に摩擦抵抗力が発生することはなく、スパイラルロッド１４を軽い力で第二方向Ｂに移動できる。なお、第二方向Ｂに移動するスパイラルロッド１４は、第一回転体１１から調整部材１９側に突出した突出部分は当該調整部材１９の中空部１９１に配置される。
続いて、受け体１７が室外側に引き出されきった位置に配置されると、障子３のさらなる開放移動によって当該障子３の磁性体は磁力に抗して受け体１７から引き離される。そして、障子３は開放位置までさらに開放移動される。
このように縦すべり出し窓１は開放動作を行う。
【００４２】
[本実施形態の効果]
（１）本実施形態では、制動装置１０は、窓枠２に対して障子３が室内側または室外側に開閉可能に支持される縦すべり出し窓１に取り付けられるものであって、第一回転体１１と、第一回転体１１が回転伝達可能に係合する第二回転体１２と、第一回転体１１を第二回転体１２に対して離間方向に付勢するコイルバネ１３と、第一回転体１１および第二回転体１２に挿通されたスパイラルロッド１４と、第二回転体１２の回転に対する抵抗力を発生する抵抗体１５と、スパイラルロッド１４に連結されたリンク機構１６と、リンク機構１６に取り付けられた受け体１７とを備え、リンク機構１６は、受け体１７に加わる障子３の閉鎖移動力をスパイラルロッド１４に軸方向Ｘの移動力として伝達する構成とされ、第一回転体１１は、スパイラルロッド１４の当該第一回転体１１に対する軸方向Ｘの移動によって回転可能に当該スパイラルロッド１４にねじ係合され、第一回転体１１は、スパイラルロッド１４の軸方向Ｘの移動速度に応じて、コイルバネ１３の付勢力によって第二回転体１２から離間した非係合状態と、コイルバネ１３の付勢力に抗して第二回転体１２に回転伝達可能に係合した係合状態とを切替えることを特徴とする。
上記構成を有するため、制動装置１０を縦すべり出し窓１の窓枠２に取り付けることで障子３の閉鎖移動を制動できる。具体的には、閉鎖移動する障子３に受け体１７が当接し、リンク機構１６が動作して受け体１７に加わる閉鎖移動力をスパイラルロッド１４に軸方向Ｘの移動力として伝達し、スパイラルロッド１４の軸方向Ｘの移動によって第一回転体１１および第二回転体１２が係合し、第二回転体１２の抵抗体１５に対する回転によってスパイラルロッド１４に対する抵抗力が発生し、この抵抗力によって障子３の閉鎖移動を制動できる。
また制動装置１０によれば、障子３が静止した状態では、第一回転体１１はコイルバネ１３によって離間方向に離間した非係合状態とされる。障子３の閉鎖移動によってスパイラルロッド１４が軸方向Ｘに移動する場合、第一回転体１１は、スパイラルロッド１４の移動によって回転しつつコイルバネ１３の付勢力に抗して第二回転体１２に接近する。このように接近しても、第一回転体１１が第二回転体１２と非係合状態にある間は、当該第一回転体１１から第二回転体１２に回転伝達されないので、第二回転体１２の回転に対する抵抗体１５の抵抗力は発生しない。これにより、障子３に抵抗体１５の抵抗力が加わることなくスムーズに障子３を移動できる。
また、スパイラルロッド１４の軸方向Ｘの移動速度に応じて、第一回転体１１が第二回転体１２に接近して係合状態となった場合、第一回転体１１の回転は第二回転体１２に伝達される。これにより、第二回転体１２は回転して抵抗体１５に抵抗力を発生させ、障子３に抵抗体１５の抵抗力が加わり、障子３の閉鎖移動を制動できる。
さらに、本実施形態では、以下の各効果を発揮できる。
（２）第二回転体１２は、第一回転体１１とスパイラルロッド１４のリンク機構１６への連結部分との間に配置され、スパイラルロッド１４は、その軸方向Ｘであって第一回転体１１を第二回転体１２に接近させる第一方向Ａおよび第一回転体１１を第二回転体１２から離間する第二方向Ｂに移動可能に配置され、第一回転体１１は、スパイラルロッド１４の第一方向Ａの移動によって回転可能にスパイラルロッド１４にねじ係合され、第一回転体１１は、第一方向Ａの移動速度に応じて、コイルバネ１３の付勢力によって第二回転体１２から離間した非係合状態と、コイルバネ１３の付勢力に抗して第二回転体１２に回転伝達可能に係合した係合状態とを切替える。
このため、第二回転体１２が第一回転体１１とスパイラルロッド１４のリンク機構１６への連結部分との間に配置されるので、障子３の閉鎖移動に基づいてリンク機構１６からスパイラルロッド１４へ第一方向Ａの移動力が加えられる。このスパイラルロッド１４の第一方向Ａの移動によって第一回転体１１が第二回転体１２に接近して係合状態にできる。この係合状態では第一回転体１１から第二回転体１２に回転伝達され、抵抗体１５に対する第二回転体１２の回転によって抵抗力が発生するが、第一方向Ａに移動するスパイラルロッド１４が圧縮されて座屈などを生じるおそれがない。
なお、スパイラルロッド１４が第二方向Ｂに移動する場合には、第一回転体１１が第二回転体１２から離間して非係合状態にできるので、スパイラルロッド１４が第二方向Ｂに移動する際に過度な負荷がかかることがなく、スパイラルロッド１４に座屈などが生じるおそれを抑制できる。
（３）第一回転体１１、第二回転体１２、コイルバネ１３、スパイラルロッド１４および抵抗体１５が設けられたケース１８を備え、リンク機構１６は、基端でケース１８に回動可能に連結された第一リンクアーム１６２と、基端でスパイラルロッド１４に回動可能に連結された第二リンクアーム１６３とを備え、第一リンクアーム１６２および第二リンクアーム１６３は、それぞれの基端から離れた位置で互いに回動可能に連結され、受け体１７は、磁石１７２を有するとともに、第一リンクアーム１６２または第二リンクアーム１６３の先端側に連結されている。
このため、障子３に鉄板等の磁性体を設けることで受け体１７と障子３とを磁力によって引き合わせることができる。これにより、障子３を閉鎖状態から開放移動する際に受け体１７が障子３とともに開放移動して、制動装置１０を障子３の閉鎖移動によって制動可能な状態に復帰できる。なお、障子３のさらなる開放移動によって、受け体１７と障子３の磁性体とは引き離される。
（４）第一回転体１１、第二回転体１２、コイルバネ１３、スパイラルロッド１４および抵抗体１５が設けられたケース１８と、ケース１８に進退操作可能に取り付けられた調整部材１９とを備え、調整部材１９は、ケース１８に対する進退操作によって第一回転体１１の第二回転体１２に対する回転軸方向における距離を調整可能に構成される。
このため、調整部材１９の進退操作によってスパイラルロッド１４の軸方向Ｘの移動に対する第一回転体１１および第二回転体１２の係合タイミングを調整できる。具体的には、調整部材１９によって第一回転体１１の第二回転体１２に対する距離を短く調整した場合には、スパイラルロッド１４の軸方向Ｘの移動に対する第一回転体１１および第二回転体１２の係合タイミングを早めることができる。逆に、調整部材１９によって第一回転体１１の第二回転体１２に対する距離を長く調整した場合には、スパイラルロッド１４の軸方向の移動に対する第一回転体１１および第二回転体１２の係合タイミングを遅らせることができる。
（５）調整部材１９は、スパイラルロッド１４が配置可能な中空部１９１を有する。このため、スパイラルロッド１４が軸方向Ｘに移動して第一回転体１１から調整部材１９側に突き出た場合には、この突き出た部分は調整部材１９の中空部１９１に配置されることとなる。これにより、調整部材１９をスパイラルロッド１４の軸方向Ｘに沿って配置でき、例えば調整部材１９が軸方向Ｘから外れた位置に配置される制動装置と比べ、制動装置１０のコンパクト化を図れる。
（６）第一リンクアーム１６２の基端をケース１８の一方の端部に連結し、第二リンクアーム１６３の基端をケース１８の他方の端部側に位置するスパイラルロッド１４の端部に連結する。このため、制動装置１０を大型化することなく第一リンクアーム１６２および第二リンクアーム１６３の長さ寸法を大きくでき、リンク機構１６の動作によるスパイラルロッド１４の軸方向Ｘの移動ストロークを大きくとれる。
【００４３】
[変形例]
本発明は、以上の実施形態で説明した構成のものに限定されず、本発明の目的を達成できる範囲での変形例は、本発明に含まれる。
例えば、前記実施形態では、制動装置１０は窓枠２に取り付けられて障子３に当たって制動する構成とされているが、これに限られず、障子３に取り付けられて窓枠２に当たって制動する構成とされてもよい。
【００４４】
前記実施形態では、第一回転体１１および第二回転体１２は係合歯１１１，１２１をそれぞれ有しているが、これに限られず、例えば互いに回転伝達可能に摩擦接触する摩擦部をそれぞれ有していてもよい。
【００４５】
前記実施形態では、スパイラルロッド１４のねじピッチは等ピッチであるが、これに限られず、スパイラルロッド１４の軸方向Ｘに沿ってねじピッチを異ならせてもよい。このように構成することで、スパイラルロッド１４の軸方向Ｘの移動によって第一回転体１１に加わる移動力が調整できる。このねじピッチは、障子３の閉鎖移動に対する制動タイミング、制動力を考慮して設定されてもよい。
【００４６】
前記実施形態では、制動装置１０は、第一回転体１１をコイルバネ１３によって第二回転体１２から離間方向に弾性付勢しているが、これに限られず、例えばゴム等の弾性体やスプリングワッシャによって弾性付勢してもよく、また、磁石によって付勢してもよい。
【００４７】
前記実施形態では、制動装置１０は、第二回転体１２および抵抗体１５を摩擦接触させて摩擦抵抗力を発生させる構成となっているが、これに限られず、例えば第二回転体１２と抵抗体としてのケース１８との間にダンピンググリースを封入し、ケース１８に対する第二回転体１２の回転によって粘性抵抗力を発生させる構成となっていてもよい。
【００４８】
前記実施形態では、受け体１７に磁石１７２を設けているが、これに限られず、例えば、磁石１７２の構成を省略し、スパイラルロッド１４を第二方向Ｂに引っ張る引張バネやラッチ機構などを設けてもよい。
【００４９】
前記実施形態では、ケース１８に調整部材１９が取り付けられているが、この調整部材１９の構成を省略してもよい。
【００５０】
本実施形態では、縦すべり出し窓１を建具として説明したが、枠体と、枠体に対して室内側または室外側に開閉可能な戸体とを備える建具であればよく、例えば外開き窓、内開き窓、回転窓、内倒し窓、突出し窓や戸、ドアであってもよい。
【符号の説明】
【００５１】
１…縦すべり出し窓（建具）、１０…制動装置、１１…第一回転体、１１１，１２１…係合歯、１２…第二回転体、１３…コイルバネ（付勢部材）、１４…スパイラルロッド、１５…抵抗体、１５１…対向片部、１５２…調整ねじ、１６…リンク機構（伝達機構）、１６１…軸ピン、１６２…第一リンクアーム、１６３…第二リンクアーム、１７…受け体、１７１…当り板、１７２…磁石、１７３…連結部材、１８…ケース、１８１…ガイド溝、１８２…雌ネジ部、１９…調整部材、１９１…中空部、１９２…雄ネジ部、２…窓枠（枠体）、２１…上枠、２２…下枠、２３…縦枠、３…障子（戸体）、３１…上框、３２…下框、３３…縦框、３４…面材、３５…連結機構、５…押え部材、Ａ…第一方向、Ｂ…第二方向、Ｘ…軸方向。
【図１】
0006591355.tif 000002
【図２】
0006591355.tif 000003
【図３】
0006591355.tif 000004
【図４】
0006591355.tif 000005
【図５】
0006591355.tif 000006
【図６】
0006591355.tif 000007
【図７】
0006591355.tif 000008
【図８】
0006591355.tif 000009
【図９】
0006591355.tif 000010